(57)【特許請求の範囲】
【請求項１】
幅方向に溶着部分と取付部分に区分して成る細幅状の織物であって、該溶着部分に、シートに溶着するための塩化ビニール等の熱可塑性樹脂によりコーティングされた経糸、あるいは該熱可塑性樹脂により製造又はコーティングされた繊維から成る経糸を使用し、上記取付部分に、穴あるいは浮帯などの取付補助手段を設けたことを特徴とするシート取付用の溶着織物。
【発明の詳細な説明】
【０００１】
【発明の属する技術分野】
本発明は、例えば、布や合成樹脂製シート等のシートに溶着して柱・杭・立木・建物・足場等に取り付けるための、シート取付用の溶着織物に関する。
【０００２】
【従来の技術】
従来、この種のシート取付用の溶着織物としては、図７（Ａ）に示すように、細幅織物Ｔの一部の織目を粗くして、図７（Ｂ）に示すように、該粗目部分ｔをシートＳと溶着テープＭにより挟んだ状態で加熱圧着することにより、該溶着テープＭを上記粗目部分ｔの隙間に溶融・侵入せしめて上記シートＳと一体化せしめたものがあった。
【０００３】
【発明が解決しようとする課題】
しかしながら、上記従来のシート取付用の溶着織物は、シートＳの溶着部分に重ねた細幅織物Ｔの粗目部分ｔに、溶着テープＭをさらに重ねる必要があるため、位置合わせ等の作業が煩雑で手間と時間がかかる等の問題点があった。
【０００４】本発明は、上記従来の課題を解決するためになされたもので、その目的とするところは、シートへの溶着が簡単かつ確実にできるシート取付用の溶着織物を提供することにある。
【０００５】
【課題を解決するための手段】
本発明のシート取付用の溶着織物は、幅方向に溶着部分と取付部分に区分して成る細幅状の織物であって、該溶着部分に、シートに溶着するための塩化ビニール等の熱可塑性樹脂によりコーティングされた経糸、あるいは該熱可塑性樹脂により製造又はコーティングされた繊維から成る経糸を使用し、上記取付部分に、穴あるいは浮帯などの取付補助手段を設けたことを特徴とする。
【０００６】
【発明の実施の形態】
以下、本発明の実施例について図面を参照しながら説明する。図１において、１は溶着織物であって、ニードル織機により経糸１ａと緯糸１ｂから細幅状の綾織組織として織成されている。本発明における織り組織はこれに限定するものではなく、平織あるいは朱子織等いずれであってもよい。また、ニードル織機以外の織機により織成された織物であってもよい。なお、本実施例の溶着織物１の一側端部は耳糸１ｃの鎖編により補強されている。
【０００７】
上記細幅状の溶着織物１は幅方向に溶着部分Ａと取付部分Ｂに分けられていて、該溶着部分Ａの経糸１ａは塩化ビニール等の熱可塑性樹脂によりコーティングＣされている。本実施例では、経糸１ａのみにコーティングＣを施しているが、織成に支障がなければ、緯糸１ｂにコーティングＣを施しておいてもよい。
【０００８】
以上のようにして構成された溶着織物１の溶着部分Ａを、適宜シートＳの縁部に重ね合わせて加熱圧着すると、図２に示すように、上記溶着部分Ａの経糸１ａにコーティングＣされている熱可塑性樹脂が溶融して上記シートＳの表面に強固に付着し、その結果、溶着織物１がシートＳに溶着され、一体化される。
【０００９】
上記経糸１ａおよび緯糸１ｂは、紡績糸、フィラメント糸あるいは加工糸のいずれであってもよい。また、糸の原料である繊維も、天然繊維、化学繊維（合成繊維を含む）あるいはこれらの混合繊維のいずれでもよい。
【００１０】
上記経糸１ａが紡績糸やマルチフィラメントのように複数の繊維の集合体である場合には、その中の一部の繊維が塩化ビニール等の熱可塑性樹脂によりコーティングされたものであるか、或いは、該一部の繊維自身を熱可塑性樹脂の繊維としてもよい。
【００１１】
図３は、シートＳに溶着する溶着織物１の取付部分Ｂに取付補助手段を設けた実施例を示すもので、図３（Ａ）は、該溶着織物１の取付部分Ｂに適宜間隔で穴Ｈをあけて、これに結束紐等を通してシートＳ同士あるいは柱等に取り付けるようになっている。図３（Ｂ）は、上記穴Ｈに代えて、特開平７ー２０７５４７号公報に開示したような、浮帯Ｕを上記取付部分Ｂに設けた別の実施例を示す。
【００１２】
以上の実施例では、溶着部分Ａを溶着織物１の一側に設けたが、図４（Ａ）に示すように、溶着部分Ａを溶着織物１の両側に設けたり、或いは、図４（Ｂ）に示すように、溶着部分Ａを溶着織物１の中間部に設けてもよい。この場合においても、取付部分Ｂに上記穴Ｈや浮帯Ｕ等の取付補助手段を設けてもよい。
【００１３】
図５は、立体的に織成あるいは構成された溶着織物２を示すもので、図５（Ａ）は、平帯状の取付部分Ｂの中間部から２枚の溶着部分Ａを分岐させた立体織物であって、該溶着部分ＡをシートＳに溶着する実施例を示し、また、図５（Ｂ）は、２枚の溶着部分Ａが取付部分Ｂの中間部の離れた位置からそれぞれ分岐した立体織物を示し、さらに、図５（Ｃ）は、平帯状の取付部分Ｂの中間部から１枚の溶着部分Ａを分岐させた立体織物を示すものである。
【００１４】
図６は、さらに別の立体的に織成あるいは構成された溶着織物３を示すもので、図６（Ａ）は、平帯状の取付部分Ｂの一側端部から２枚の溶着部分Ａを分岐させた立体織物を示し、また、図６（Ｂ）は、一側端部において接続されている２枚の取付部分Ｂの該接続側端部から２枚の溶着部分Ａを分岐させた立体織物を示し、さらに、図６（Ｃ）は、一側端部において接続されている２枚の取付部分Ｂの該接続側端部から１枚の溶着部分Ａを分岐させた立体織物を示すものである。上記図６（Ｂ）の立体織物は上記図５（Ａ）と、また、図６（Ｃ）の立体織物は図５（Ｃ）と、それぞれ同じ構成の立体織物となっているが、織成方法が異なる。なお、図５および図６の立体織物の織成方法については、平成８年特許願第９１７８３号明細書において詳細に説明されている。
【００１５】
【発明の効果】
本発明のシート取付用の溶着織物は、幅方向に溶着部分と取付部分に区分して成る細幅状の織物であって、該溶着部分に、シートに溶着するための塩化ビニール等の熱可塑性樹脂によりコーティングされた経糸、あるいは該熱可塑性樹脂により製造又はコーティングされた繊維から成る経糸を使用し、上記取付部分に、穴あるいは浮帯などの取付補助手段を設けたので、シートへの溶着が簡単かつ確実にでき、また、シートを柱、杭、立木、建物、足場等に簡単かつ確実に取り付けることができる。
【図面の簡単な説明】
【図１】本発明の溶着織物の一実施例を示す平面図である。
【図２】図１の溶着織物のシートへの溶着状態を示す断面図である。
【図３】溶着織物の取付部分の各実施例を示す斜視図である。
【図４】本発明の溶着織物の別の実施例を示す斜視図である。
【図５】溶着織物を立体織物とした各実施例の斜視図である。
【図６】溶着織物を立体織物としたまた別の各実施例の斜視図である。
【図７】従来の溶着織物の説明図である。
【符号の説明】
１ 溶着織物
１ａ 経糸
１ｂ 緯糸
１ｃ 耳糸
２ 溶着織物
３ 溶着織物
Ａ 溶着部分
Ｂ 取付部分
Ｃ コーティング
【図１】
0003934711.tif 000002
【図２】
0003934711.tif 000003
【図３】
0003934711.tif 000004
【図４】
0003934711.tif 000005
【図５】
0003934711.tif 000006
【図６】
0003934711.tif 000007
【図７】
0003934711.tif 000008